(57)【要約】【課題】  開封が容易で且つ開封後の手間も省略できるようにした口部接着封止型容器（パック型容器）を提供する。【解決手段】  ４枚の側壁片（２１，２２，２３，２４）によって周囲を囲まれる直方体又は立方体形状の容器の口部において相対向する二辺の側壁片（２２，２４）の上部片（２２Ａ，２４Ａ）を内方に折畳むとともに、他の相対向する二辺の側壁片（２１，２３）の上端片（２１Ｂ，２３Ｂ）を相互に接着して口部を封止するようにした口部接着封止型容器において、上記内方に折畳まれる二辺の側壁片（２２，２４）の上部片のうちの少なくとも一辺の上部片（２２Ａ）の上端片（２２Ｂ）をその中央部（２２ＢＣ）をはさむ幅をもって下方に折り曲げて、開封時のツマミ片とする。【選択図】        図４
2005298052.tif 000002
【特許請求の範囲】
【請求項１】
４枚の側壁片（２１，２２，２３，２４）によって周囲を囲まれる直方体又は立方体形状の容器の口部において相対向する二辺の側壁片（２２，２４）の上部片（２２Ａ，２４Ａ）を内方に折畳むとともに、他の相対向する二辺の側壁片（２１，２３）の上端片（２１Ｂ，２３Ｂ）を相互に接着して口部を封止するようにした口部接着封止型容器であって、上記内方に折畳まれる二辺の側壁片（２２，２４）の上部片のうちの少なくとも一辺の上部片（２２Ａ）の上端片（２２Ｂ）をその中央部（２２ＢＣ）をはさむ幅をもって下方に折り曲げて、開封時のツマミ片としたことを特徴とする口部接着封止型容器。
【発明の詳細な説明】
【技術分野】
【０００１】
本願発明は、いわゆる牛乳パック等と呼称されている口部接着封止型容器（以下、「パック型容器」という）に関するものであり、さらに詳しくは、そのようなパック型容器において容易に開封することができるようにするための改良に関するものである。
【背景技術】
【０００２】
パック型容器は図７に示すように容器主体部１１の上方に頂部貼合せ部１４が形成されて口部を封止するようにされているが、その製作方法を図８及び図９を参照して説明すると、図９は同容器を作るための容器材料２０（特殊なパルプ材）の展開図である（底部側は省略。他の各図についても同じ）。この容器材料２０は、点線Ｌで示す折り曲げ線で区画される４つの材料片（第１側壁片２１、第２側壁片２２、第３側壁片２３、第４側壁片２４）と接合用の端片２５とで構成されている。この容器材料２０は、上端片（２１Ｂ，２３Ｂ）が長い側壁片（第１側壁片２１，第３側壁片２３）と上端片（２２Ｂ，２４Ｂ）が短かい側壁片（第２側壁片２２，第４側壁片２４）とが交互に配列されている。
【０００３】
従来のパック型容器は、このような容器材料２０を使用して図８に示すような直方体又は立方体形状の容器を作り、その内部に牛乳やジュース等の充填物を入れたあと、上端片が短かい方の側壁片（第２側壁片２２，第４側壁片２４）を矢印Ｆ２，Ｆ４の方向から押し込み、それによつてそれぞれの上部片（２２Ａ，２４Ａ）を二点差線２２Ｓ，２４Ｓで示す折り曲げ線にしたがって折り畳むとともに、上端片が長い方の他の側壁片（第１側壁片２１，第３側壁片２３）の両上端片２１Ｂ，２３Ｂを接着して口部を封止するようにしている。
【０００４】
このとき、内方へ折り曲げられた第２側壁片２２の上端片２２Ｂと第４側壁片２４の上端片２４Ｂの各内面は、二つ折り状態となって両側に位置する第１側壁片２１の上端片２１Ｂと第３側壁片２３の上端片２３Ｂの各内面と接合される。
【０００５】
このパック型容器を開封する場合は、図７において符号Ｙ，Ｙで示す方向から２本の指を差し入れ、容器の蓋片部となっている第１側壁片２１の上部片２１Ａと、第３側壁片２３の上部片２３Ａとを上方に押し開く。そうすると、図１０に示す状態となるので、この状態で黒点２２Ｐで示す部分（接合中央部）を指で開いて容器開口部を開封させるものである。
【０００６】
なお、ツマミ部をつけることによって開口を容易にした牛乳パックを開示したものとして、特開２００４−１０１６９（特許文献１）がある。
【０００７】
この特許文献１の図４には、図１１に示すように、容器１１１の頂部を指で開いたときにツマミ部１２２があらわれるように記載されているが、その詳しい構成は不明である。ただ、同図面からいえることは、同ツマミ片１２２は、その大きさが小さく、且つ位置が中央部Ｐから片寄っているために、そのツマミ片１２２を引張って口部を開封することはかなり困難であろうと思われる。
【０００８】
また、パック型容器に開封用のツマミ片を設けた他の公知例としては実開平６−８１９２７（特許文献２）がある。この特許文献２記載のものは、図１２に示すように、容器１１１の頂部に上方へ突出するツマミ片１２２を設けておき、頂部開封時には、図１３に示すように、このツマミ片１２２を矢印Ｆ１２の方向に引張って開封するものである。そして、開封後は、同ツマミ片１２２の上半部１２２Ｂを破線Ｑのところで切り取り、下半部１２２Ａを飲み口として利用するようになっている。これは、上半部１２２Ｂにはゴミ等が付着しているおそれがあり、これをそのまま飲み口とすると衛生上の問題が生じるからである。すなわち、この公知例のものは、開封後、ツマミ片１２２の上半部１２２Ｂを切り取るという手間を必要とする。
【０００９】
【特許文献１】特開２００４−１０１６９
【００１０】
【特許文献２】実開平６−８１９２７
【発明の開示】
【発明が解決しようとする課題】
【００１１】
本願発明は、上記のような課題を解決しようとしてなされたもので、開封が容易で且つ開封後の手間も省略できるようにした口部接着封止型容器（パック型容器）を提供しようとしてなされたものであり、以下に示すような手段により構成されている。
【課題を解決するための手段】
【００１２】
すなわち、本願発明の口部接着封止型容器は、図１ないし図６に例示するように、４枚の側壁片（２１，２２，２３，２４）によって周囲を囲まれる直方体又は立方体形状の容器の口部において相対向する二辺の側壁片（２２，２４）の上部片（２２Ａ，２４Ａ）を内方に折畳むとともに、他の相対向する二辺の側壁片（２１，２３）の上端片（２１Ｂ，２３Ｂ）を相互に接着して口部を封止するようにした口部接着封止型容器であって、上記内方に折畳まれる二辺の側壁片（２２，２４）の上部片のうちの少なくとも一辺の上部片（２２Ａ）の上端片（２２Ｂ）をその中央部（２２ＢＣ）をはさむ幅をもって下方に折り曲げて、開封時のツマミ片としたことを基本的特徴とする。
【発明の効果】
【００１３】
上記のようにすると、開封時のツマミ片となる側壁片（２２）の上端片（２２Ｂ）は、相互に接着される他の２辺の側壁片（２１，２３）の上端片（２１Ｂ，２３Ｂ）によって包み込まれるようにして折り畳まれるから、ゴミ等の付着もなく衛生的であるという効果がある。
【００１４】
また、本願発明の口部接着封止型容器では、容器の口部を開封したときに、ツマミ片となる上端片（２２Ｂ）が中央部（２２ＢＣ）をはさんで一定の幅をもってあらわれるから、その中央部（２２ＢＣ）付近を指で摘まんで手前側へ引張ると容易に口部を開封することができ、そしてそのまま（特許文献２記載の容器のようにツマミ片を切り取る必要もなく）内部の充填物を注出することができる効果がある。
【発明を実施するための最良の形態】
【００１５】
次に図１ないし図６を参照して本願発明の好適な実施例を説明すると、図１には、本願発明の第１の実施例にかかる口部接着封止型容器における充填物注入前の状態が示されている。図２は、この図１に示す口部接着封止型容器の容器材料の上方部展開図である。この容器材料２０は、点線Ｌ，Ｌ，Ｌ，Ｌで区画される４つの同じ幅の側壁片（第１側壁片２１，第２側壁片２２，第３側壁片２３，第４側壁片２４）をもち、それぞれの上端には４つの同じ幅の上端片２１Ｂ，２２Ｂ，２３Ｂ，２４Ｂが形成されている。図２に示す容器材料２０を点線Ｌ，Ｌ，Ｌ，Ｌで示す折り曲げ線に沿って折り畳み、さらに第２側壁片２２の上端片２２Ｂと第４側壁片２４の上端片２４Ｂを二点鎖線２２Ｒ又は２４Ｒに沿って下方に折り曲げて図１に示すような直方体又は立方体形状の容器を作るとともに、この容器の上部開口から牛乳やジュース等の充填物を入れたあと、上端片２２Ｂのある第２側壁片２２の上部片２２Ａと上端片２４Ｂのある第４側壁片２４の上部片２４Ａを矢印Ｆ２とＦ４で示す方向から押し込み、それによってそれぞれの上部片２２Ａ，２４Ａを二点鎖線２２Ｓ，２４Ｓで示す折り曲げ線に沿って折り畳むとともに、上端片が長い方の他の側壁片（２１，２３）の両上端片２１Ｂ，２３Ｂを接着して口部を封止すると、図７に示す従来製品と同じような外観形状の最終製品が出来上る。
【００１６】
図３は、図１に示す容器を折り畳む途中の状態を上方から見たものである。この図３の状態から、さらに第１側壁片２１の上端片２１Ｂと第３側壁片２３の上端片２３Ｂとを矢印Ｆ１，Ｆ３の方向に接近させると、最終的には、第１側壁片２１の上端片２１Ｂの内面２１Ｂａ（図３）の上半部（図２に示す二点鎖線２１Ｒより上の部分）全体と第３側壁片２３の上端片２３Ｂの内面２３Ｂａ（図３）の上半部（図２に示す二点鎖線２３Ｒより上の部分）全体とが接着されるとともに、中央部２２ＢＣを折り目として内方に折り畳まれた第２側壁片２２の上端片２２Ｂ（中央部２２ＢＣを境として第１折片部２２Ｂ１と第２折片部２２Ｂ２とに区分される）の内面（２２Ｂ１ａと２２Ｂ２ａ＝図２に示す二点鎖線２２Ｒより下の部分）及び中央部２４ＢＣを折り目として内方に折り畳まれた第４側壁片２４の上端片２４Ｂ（中央部２４ＢＣを境として第１折片部２４Ｂ１と第２折片部２４Ｂ２とに区分される）の内面（２４Ｂ１ａと２４Ｂ２ａ＝図２に示す二点鎖線２４Ｒより下の部分）が両側の第１側壁片２１の上端片２１Ｂの下半部（図２に示す二点鎖線２１Ｒより下の部分）及び第３側壁片２３の上端片２３Ｂの下半部（図２に示す二点鎖線２３Ｒよの下の部分）に接着される。
【００１７】
図４及び図５は、上記実施例の容器を開封する方法を説明するためのものである。この容器を開封する場合は、図７における場合と同様に、容器の頂部隙間に矢印Ｙ，Ｙで示す方向から２本の指を差し入れて容器の蓋片部を下方から押し開く。そうすると、図４に示すように、第１側壁片２１の上端片２１Ｂの内面２１Ｂａと第３側壁片２３の上端片２３Ｂの内面２３Ｂａの接着が剥がれて容器の口部が開かれ、最終的には図５に示すように第１側壁片２１の上端片２１Ｂと第３側壁片２３の上端片２３Ｂの剥がれた部分２１Ｂ′，２３Ｂ′とが一直線状態となるとともに、下方に折り畳まれている第２側壁片２２の上端片２２Ｂがあらわれる。そして、この容器を開封する場合は、あらわれた第２側壁片２２の上端片２２Ｂの中央部２２ＢＣ付近を摘まんで手前側に引張れば、容易に開封することができる。
【００１８】
図６は、本願発明の他の実施例を示している。この実施例の容器は、第２側壁片２２の上端片２２Ｂが第１の実施例の場合よりも短かくなっている（中央部２２ＢＣをはさんで部分的に形成されている）点を除けば第１の実施例と同じである。なお、図６にはあらわれていないが、第２側壁片２２と対向する側にある第４側壁片２４の上端片についても図６の上端片２３Ｂと同様に部分的に形成されている。
【図面の簡単な説明】
【００１９】
【図１】本願発明の実施例にかかる口部接着封止型容器の密封前の状態斜視図である。
【図２】図１に示す容器の口部展開図である。
【図３】図１に示す容器の折り畳み工程途中の状態を上方から見た図である。
【図４】図１の容器の開封途中の状態図である。
【図５】図１の容器の開封最終段階の状態図である。
【図６】本願発明の他の実施例にかかる口部接着封止型容器における開封状態説明図である。
【図７】本願発明の実施例又は一般的な従来構成の口部接着封止型容器の最終製品状態の斜視図である。
【図８】一般的な従来構成の口部接着封止型容器の口部開放状態説明図である。
【図９】図８に示す容器の口部展開図である。
【図１０】一般的な従来構成の口部接着封止型容器の開封説明図である。
【図１１】特開２００４−１０１６９の図４に記載されている口部接着封止型容器の斜視図である。
【図１２】実開平６−８１９２７の図１に記載されている口部接着封止型容器の斜視図である。
【図１３】図１２に示す容器の開封方法説明図である。
【符号の説明】
【００２０】
１は容器、１１は容器主体部、１２は蓋片部、１４は頂部貼合せ部、２０は容器材料、２１は第１側壁片、２２は第２側壁片、２３は第３側壁片、２４は第４側壁片、２１Ａ，２２Ａ，２３Ａ，２４Ａは上部片、２１Ｂ，２２Ｂ，２３Ｂ，２４Ｂは上端片。
【図１】
2005298052.tif 000003
【図２】
2005298052.tif 000004
【図３】
2005298052.tif 000005
【図４】
2005298052.tif 000006
【図５】
2005298052.tif 000007
【図６】
2005298052.tif 000008
【図７】
2005298052.tif 000009
【図８】
2005298052.tif 000010
【図９】
2005298052.tif 000011
【図１０】
2005298052.tif 000012
【図１１】
2005298052.tif 000013
【図１２】
2005298052.tif 000014
【図１３】
2005298052.tif 000015